(57)【特許請求の範囲】
【請求項１】
履物のアッパーの甲部に、装着者が視認可能となるように設けられており、歩行方向に一致させる目安として、特定の方向を示す方向指示手段を備えており、
前記方向指示手段が示す前記特定の方向は、Ｏ脚ないしＸ脚を矯正するための方向であり、履物を装着したときの足軸線に対して傾いていることを特徴とする履物。
【請求項２】
前記方向指示手段が示す方向が、Ｏ脚ないしＸ脚の原因となる脚の内旋運動と反対の外旋運動の方向を示すことを特徴とする請求項１記載の履物。
【請求項３】
前記方向指示手段が、
矢印線，又は、特定の方向が視認できるように前記アッパーに施されたデザインのいずれかであることを特徴とする請求項１又は２記載の履物。
【請求項４】
前記方向指示手段が矢印線であるときに、該矢印線が、前記履物に貼り付けられたシールであることを特徴とする請求項３記載の履物。
【請求項５】
前記方向指示手段が、特定の方向が視認できるように前記アッパーに施されたデザインであって、
前記アッパーの素材，模様，色又はそれらの組み合わせの切替部分が、前記方向指示手段を形成することを特徴とする請求項３記載の履物。
【請求項６】
前記方向指示手段が、
前記特定の方向を歩行方向に一致させた時と、それ以外の時とで、装着者の視覚に訴えるイメージが変化するデザインであることを特徴とする請求項１又は２記載の履物。
【請求項７】
前記デザインが、前記履物に貼り付けられたシールであることを特徴とする請求項６記載の履物。
【請求項８】
前記履物を装着したときの足裏が、水平面に対して所定方向に傾くように靴底を形成したことを特徴とする請求項１〜７のいずれか一項に記載の履物。
【発明の詳細な説明】
【技術分野】
【０００１】
本発明は、履物に関し、更に具体的には、Ｏ脚やＸ脚の矯正に適した履物に関するものである。
【背景技術】
【０００２】
Ｏ脚（内反膝）は、両膝が外側に湾曲しており、両足の内くるぶしを揃えても、左右の膝の内側が接しない状態をいう。逆に、Ｘ脚（外反膝）は、両膝が内側に湾曲して見えており、両足の膝の内側を揃えても、左右の内くるぶしが接しない状態をいう。Ｏ脚やＸ脚は、先天的な要因によるものもあるが、生活習慣から生じる場合も多い。悪い立ち方や座り方に起因することもあるが、例えば、脚を内側に捻じるような歩き方（いわゆる内旋歩行）を日常生活の中で繰り返し継続的に行うことにより、股関節が内旋し、膝部で外側に作用する力（内反力）が働く結果、多くの場合はＯ脚となる。しかし、同じように股関節が内旋しても、様々な理由により、大腿部内側にある内転筋の筋力が発達すると、脚が徐々に近くなり、筋力の状態によっては、膝がつくことがある。すなわち、内転筋が十分に発達した状態で、骨盤の外側にある外転筋の筋力が弱くなるとＸ脚になる。これらＯ脚やＸ脚のような脚の歪みは、膝に負担がかかって膝痛の原因となるほか、身体バランスの悪化も招くので、体の様々な不調の原因ともなりえる。
【０００３】
このような脚のゆがみに対し、靴底や靴の中敷きの厚みや形状を工夫することで、Ｏ脚やＸ脚の矯正をしようとする技術が存在する（例えば、下記特許文献１及び特許文献２）。これらの先行技術は、いずれも、Ｏ脚の矯正には、履物の外側を内側よりも厚くなるようにし、Ｘ脚の矯正には、履物の内側を外側よりも厚くなるようにすることが開示されている。
【先行技術文献】
【特許文献】
【０００４】
【特許文献１】特開平６−３１９６０３号公報
【特許文献２】特開平８−７０９１０号公報
【発明の概要】
【発明が解決しようとする課題】
【０００５】
しかしながら、上述したように、Ｏ脚やＸ脚は、内転筋と外転筋の影響を受けはするものの、股関節の内旋問題がもっとも重要かつ影響が大きい要因であり、脚を内側にローテーションさせるように歩くことが原因の一つとなっている。従って、前記特許文献１や特許文献２に示すように、靴底に厚み部分を設けることだけでは、根本的に矯正することは困難である。
【０００６】
本発明は、以上のような点に着目したもので、正しい方向への歩行をサポートし、必要に応じて脚の歪み矯正に適した歩行のサポートも可能な履物を提供することを、その目的とする。
【課題を解決するための手段】
【０００７】
本発明の履物は、履物のアッパーの甲部に、装着者が視認可能となるように設けられており、歩行方向に一致させる目安として、特定の方向を示す方向指示手段を備えており、前記方向指示手段が示す前記特定の方向は、Ｏ脚ないしＸ脚を矯正するための方向であり、履物を装着したときの足軸線に対して傾いていることを特徴とする。主要な形態の一つは、前記方向指示手段が示す方向が、Ｏ脚ないしＸ脚の原因となる脚の内旋運動と反対の外旋運動の方向を示すことを特徴とする。
【０００８】
他の形態は、前記方向指示手段が、矢印線，又は、特定の方向が視認できるように前記アッパーに施されたデザインのいずれかであることを特徴とする。更に他の形態は、(1)前記方向指示手段が矢印線であるときに、該矢印線が、前記履物に貼り付けられたシールであること，あるいは、(2)前記方向指示手段が、特定の方向が視認できるように前記アッパーに施されたデザインであって、前記アッパーの素材，模様，色又はそれらの組み合わせの切替部分が、前記方向指示手段を形成することを特徴とする。
【０００９】
更に他の形態は、前記方向指示手段が、前記特定の方向を歩行方向に一致させた時と、それ以外の時とで、装着者の視覚に訴えるイメージが変化するデザインであることを特徴とする。更に他の形態は、前記デザインが、前記履物に貼り付けられたシールであることを特徴とする。更に他の形態は、前記履物を装着したときの足裏が、水平面に対して所定方向に傾くように靴底を形成したことを特徴とする。本発明の前記及び他の目的，特徴，利点は、以下の詳細な説明及び添付図面から明瞭になろう。
【発明の効果】
【００１０】
本発明によれば、履物のアッパーの甲部に、装着者が視認可能となるように設けられており、歩行方向に一致させる目安として、特定の方向を示す方向指示手段を備えており、前記方向指示手段が示す前記特定の方向が、Ｏ脚ないしＸ脚を矯正するための方向であり、履物を装着したときの足軸線に対して傾いているので、前記特定の方向が歩行方向と一致するように歩くことで、Ｏ脚やＸ脚の矯正に効果的なローテーション運動をするように歩行をサポートし、脚の歪みの矯正に有効である。必要に応じて足裏に傾きを持たせるように、厚みないし高さを調整した靴底と併用してもよい。
【図面の簡単な説明】
【００１１】
【図１】本発明の実施例１を示す図であり、(A-1)は履物を装着した状態を上方から見た図，(A-2)は履物を装着した状態を正面から見た図，(B-1)は履物を装着して歩行方向を修正した状態を上方から見た図，(B-2)は履物を装着して歩行方向を修正した状態を正面から見た図である。
【図２】本発明の実施例２を示す図であり、(A-1)は履物を装着した状態を上方から見た図，(A-2)は履物を装着した状態を正面から見た図，(B-1)は履物を装着して歩行方向を修正した状態を上方から見た図，(B-2)は履物を装着して歩行方向を修正した状態を正面から見た図である。
【図３】本発明の他の実施例を示す図である。
【図４】本発明の他の実施例を示す図である。
【発明を実施するための形態】
【００１２】
以下、本発明を実施するための最良の形態を、実施例に基づいて詳細に説明する。
【実施例１】
【００１３】
最初に、図１を参照しながら本発明の実施例１を説明する。図１(A-1)は履物を装着した状態を上方から見た図，(A-2)は履物を装着した状態を正面から見た図，(B-1)は履物を装着して歩行方向を修正した状態を上方から見た図，(B-2)は履物を装着して歩行方向を修正した状態を正面から見た図である。本実施例の履物１０は、Ｏ脚（内反膝）の矯正に本発明を適用した例である。前記履物１０は、右足用のスリッパ１０Ａと左足用のスリッパ１０Ｂにより構成される。スリッパ１０Ａ，１０Ｂの構成自体は、一般的な構成と異なるところはなく、図示しない靴底に甲部を覆うアッパー１１が設けられた構成となっている。
【００１４】
本実施例では、図１(A-1)に示すように、アッパー１１の甲部１２から爪先部１４にかけて特定の方向を示す矢印線１６（方向指示部）が設けられている。該矢印線１６は、装着者１００が歩行する際に、該矢印線１６が歩行方向（図１(B-1)の矢印Ｆ１）に一致するように、確認するためのものである。本実施例では、前記矢印線１６の延長線ＬＢが、履物１０の中心線（ないし履物１０を装着したときの足軸線）ＬＡに対して、所定の角度θをなすように形成されている。ここで、履物の中心線（足軸線）ＬＡとは、第２指の中心と外側の中間位置と、踵骨の中心を結んだ線である。そして、前記角度θは、中心線ＬＡと延長線ＬＢが、靴の後端（踵側）で交わるときの角度である。なお、本実施例は、股関節の内旋の矯正に適した外旋筋群の強化運動をすることができるように、前記矢印線１６は、前記中心線ＬＡに対して、内側（親指側）に傾くように形成されている。前記中心線ＬＡ対して内側に傾いているときをマイナス角度で表すとすると、前記角度θは、例えば、−５°〜−１５°程度であって、装着者１００の脚の歪みの程度により異なる。すなわち、左右のスリッパ１０Ａ，１０Ｂで、前記角度θが一致している必要はない。
【００１５】
上述したように、Ｏ脚は、脚を内側に捻るような内旋運動（内側へのローテーション運動）の繰り返しが原因の一つとなっていることから、それと反対の方向への運動，すなわち外旋運動（外側へのローテーション運動）を継続的に行うことで、脚の歪みの矯正が可能になる。装着者１００がＯ脚の場合、履物１０を履いただけでは、右脚１０２及び左脚１０４のくるぶし１０２Ａ，１０４Ａを揃えても、図１(A-1)及び(A-2)に示すように、あるいは、図１(B-1)に一点鎖線で示すように、両足の膝１０２Ｂ，１０４Ｂの内側は離れてしまう。しかし、前記矢印線１６の示す方向が、図１(B-1)に矢印Ｆ１で示す歩行方向に一致するように確認しながら（意識しながら）歩行することで、脚を外旋運動（外側へのローテーション運動）させることになる。このような歩行を続けていくことにより、生活習慣により生じた内旋歩行という習慣を徐序に改善し、日常的に外旋筋や外転筋を強化して、最終的には、図１(B-1)及び(B-2)に実線で示すように、くるぶし１０２Ａ，１０４Ａの内側を揃えたときに、膝１０２Ｂ，１０４Ｂの内側が揃い、膝頭が正面を向くようになる。すなわち、Ｏ脚が矯正される。
【００１６】
このように、実施例１によれば、履物１０の中心線ＬＡに対して内側に傾いた方向を示す矢印線１６を、靴のアッパー１１の甲部１２から爪先部１４にかけて形成する。そして、前記矢印線１６が示す方向が、歩行方向Ｆ１と一致するように歩行することで、Ｏ脚の原因となる内旋運動と反対方向への外旋運動を行うような歩行をサポートすることができる。したがって、矢印線１６が歩行方向Ｆ１と一致するように意識して歩くように促すことで、無理なく自発的な矯正用の動きをサポートし、根本的な歪み矯正に有効である。また、矢印線１６を意識した歩行を続けることにより、歩き方そのものの改善にも役立つ。
【実施例２】
【００１７】
次に、図２を参照しながら本発明の実施例２を説明する。なお、上述した実施例１と同一ないし対応する構成要素には同一の符号を用いることとする（以下の実施例についても同様）。図２(A-1)は履物を装着した状態を上方から見た図，(A-2)は履物を装着した状態を正面から見た図，(B-1)は履物を装着して歩行方向を修正した状態を上方から見た図，(B-2)は履物を装着して歩行方向を修正した状態を正面から見た図である。本実施例は、前記実施例１の履物１０を、Ｘ脚（外反膝）の矯正に適した実施例であって、履物１０の構成は実施例１と同様である。
【００１８】
上述した通り、Ｘ脚は、骨盤外側にある外転筋の筋力が弱いなどの要因はあるものの、根本的には、Ｏ脚の場合と同様に、股関節の内旋が最も大きな原因である。従って、Ｘ脚を矯正するためには、実施例１と同様に、内旋状態を改善するための外旋筋群の強化が重要であり、実施例１と同様の履物１０の利用により、Ｘ脚の改善を図ることができる。Ｘ脚の場合は、通常、図２(A-1)及び(A-2)に一点鎖線で示すように、膝頭が内側を向いていることが多いが、同図に点線で示すように、正面を向いている場合もある。本実施例は、そのいずれの場合であっても適用可能である。
【００１９】
装着者１００がＸ脚の場合、履物１０を履いただけでは、右脚１０２及び左脚１０４の膝１０２Ｂ，１０４Ｂの内側を揃えても、図２(A-1)に示すように、両足のくるぶし１０２Ａ，１０４Ａの内側は離れてしまう。そして、くるぶし１０２Ａ，１０４Ａを揃えようとすると、図２(B-1)に一点鎖線で示すように膝が重なってしまう。しかし、前記矢印線１６の示す方向が、図２(B-1)に矢印Ｆ１で示す歩行方向に一致するように確認しながら（意識しながら）歩行することで、脚が外旋運動（外側へのローテーション運動）をすることになる。このような外旋歩行を継続することにより、外旋筋群を強化し、生活習慣により生じた股関節内旋によるＸ脚を徐々に矯正し、最終的には、図２(B-1)及び(B-2)に実線で示すように、膝１０２Ｂ，１０４Ｂの内側を備えたときに、くるぶし１０２Ａ，１０４Ａの内側が揃うようになり、膝頭が内側に向いていた人であれば正面を向くようになる。すなわち、Ｘ脚が矯正される。膝頭自体は初めから正面を向いていた人であれば、膝頭の向きは正面を保ったままで、Ｘ脚が矯正される。
【００２０】
このように、実施例２によれば、履物１０の中心線ＬＡに対して内側に所定角度（中心線ＬＡに対して−５°〜−１５°程度）傾いた方向を示す矢印線１６を、靴のアッパー１１の甲部１２から爪先部１４にかけて形成する。そして、前記矢印線１６が示す方向が、歩行方向Ｆ１と一致するように歩行することで、Ｘ脚の原因となる脚の原因となる内旋運動と反対方向への外旋運動を行うような歩行を行うことになる。したがって、矢印線１６が歩行方向Ｆ１と一致するように意識して歩くように促すことで、Ｘ脚を矯正するために必要な外旋歩行を装着者１００が自発的に行うようサポートし、根本的な歪み矯正に有効である。
【００２１】
なお、本発明は、上述した実施例に限定されるものではなく、本発明の要旨を逸脱しない範囲内において種々変更を加え得ることができる。例えば、以下のものも含まれる。
(1)前記実施例１で示したＯ脚の矯正や、実施例２で示したＸ脚の矯正は一例であり、これらの脚の歪みがない人に対して、正しい歩行方向の維持をサポートするために本発明の履物を適用してもよい。例えば、図３(A)に示す履物１０では、矢印線１７の延長方向を示す線ＬＤと、履物１０の中心線（足軸線）ＬＡが一致している。この場合、前記矢印線１７の示す方向が歩行方向（矢印Ｆ３方向）と一致するように歩行することで、正しい歩行をサポートすることができる。
【００２２】
(2)前記実施例１及び実施例２で示した矢印線１６の傾きは一例であり、例えば、図３(A)に示すように、矢印線１８の延長線ＬＣが、履物１０の中心線（足軸線）ＬＡに対して、所定の角度θをなすように外側に傾いていてもよい。足軸線ＬＡに対して外側に傾いている場合をプラス角度で示すとすると、前記θは＋５°〜＋１５°程度である。このように外側に傾いた矢印線１８を有する履物を履き、該矢印線１８が歩行方向Ｆ３と一致するように歩行することにより、実施例１及び実施例２とは逆に、内旋歩行をすることになる。従って、例えば、内旋歩行によって特定の筋力を鍛えるトレーニング等の目的に使用したり、そのほかにも、内旋歩行をさせた方が良い場合、又は、内旋方向させないといけない場合に有効である。更に、左右のシューズで矢印線の傾き方向が一致している必要はなく、必要に応じて、図３(A)に点線で示すように、左右のいずれか一方のスリッパには内側（マイナス方向）に傾いた矢印線１６を設け、他方には外側（プラス方向）に傾いた矢印線１８を設けてもよい。また、左右のいずれか一方のみに靴の中心線と一致する方向に矢印線を設け、他方の矢印線を内側又は外側に傾けた構成としてもよい。
(3)前記実施例１で示した矢印線１６を、図３(B)に示すように、アッパー１１にシール２０を貼り付けて形成してもよい。矢印線１７，１８についても同様である。
【００２３】
(4)前記実施例では、履物１０のアッパー１１に矢印線１６を設けて特定の方向を示すこととしたが、これも一例であり、特定方向の示し方は、装着者１００が使用時に認識できる態様であれば、種々変更可能である。例えば、図３(C)に示す履物３０Ａは、靴底３２とアッパー３４から構成されたスリッパであり、前記アッパー３４は、２つの異なる模様部３６Ａ，３６Ｂを有している。そして、これらの模様部３６Ａ，３６Ｂの切替部分（ないし境界）３８が、前記実施例１の矢印線１６と同様に、履物の中心線ＬＡに対して内側に傾いた特定の方向を示す。また、図３(C)に示す履物３０Ｂのアッパー３４は、素材４０Ａと、該素材４０Ａとは異なる素材４０Ｂにより構成されており、その切替部分（ないし境界）４２が、履物の中心線ＬＡに対して外側に傾いた特定の方向（延長線ＬＣの方向）を示している。なお、図３(C)では、模様の切替部分や、素材の切替部分を、方向指示部とすることとしたが、これらも一例であり、配色の切替部分や、模様，素材，色又はこれらの組み合わせの切替部分を方向指示部としてもよい。また、切替部分の両側の一方を発光材料や蛍光材料を含んだ素材で構成することにより、切替部分が暗所で目立つようにしてもよい。更に、切替部分３８，４２ではなく、甲部１２に設けたその他のデザイン（絵など）によって特定の方向を示すようにしてもよい。
【００２４】
(5)前記実施例１や図３(A)〜(C)の例では、履物１０の甲部１２に、矢印線１６〜１８や切替部分３８，４２を設けることで、特定方向を直接的に示すこととしたが、これも一例であり、同様の効果を奏するように適宜設計可能である。例えば、甲部１２に設けた各種デザイン（絵など）により、歩行時に履物１０が特定の向きになるように、間接的に装着者１００の注意を促すものであってもよい。図３(D-1)に示す履物１０´の例では、スリッパ１０Ａ，１０Ｂの甲部１２に、目のイラスト５０Ａ，５０Ｂを設けている。該イラスト５０Ａ，５０Ｂは、それぞれ、輪郭の円５２と、該円５２の内側を上下に２等分する線５４と、２等分された下側の領域に設けられた黒丸５６により構成されている。前記線５４は、履物１０´の向きを修正したとき図３(D-2)に示すように水平となるように形成されている。前記線５４と直交する線をＬＥとすると、線ＬＥが足軸線ＬＡに対してなす角度は約−１０°程度である。
【００２５】
このような履物１０´をＯ脚の人が履いたときは、図３(D-1)に示すように、目のイラスト５０Ａ，５０Ｂの線５４の外側が上がるため、怒った表情に見える。しかし、前記線５４が水平となるように、すなわち、前記線ＬＥが歩行方向と一致するように履物１０´の向きを意識しながら歩行することで、外旋歩行することができる。この例のイラスト５０Ａ，５０Ｂは、履物１０´の向きを意識しないときは、図３(D-1)に示すように怒った表情に見え、履物１０´の向きを外旋方向に意識して歩行したときは、図３(D-2)に示すように怒っていない表情になる。従って、装着者１００は、履物１０´の向きを、甲部１２のイラスト５０Ａ，５０Ｂの表情の変化として感覚的に認識することができる。
【００２６】
(6)前記実施例では、履物１０の靴底３２を平坦（フラット）な作りとしたが、これも一例であり、例えば、図４(A)に示すように、脚の外側の方が厚くなるように靴底３２´に傾斜を持たせることで、履物を装着したときの足裏が、水平面に対して傾くようにしてもよい。靴底３２´の厚みに傾斜を設けるには、例えば、図４(B)に示す例のように、アウトソール３３Ｂは平坦とし、インソール（中敷き）３３Ａの厚みないし高さを調整する。あるいは、図４(C)に示す例のように、インソール３３Ａは平坦とし、アウトソール３３Ｂの厚みないし高さを調整するようにしてもよい。このように、靴底３２´の厚み（ないし高さ）を調整することにより、上述した実施例１に示す自発的な歩行方向の矯正に加え、靴底３２´の厚みを利用して脚の姿勢を正すことができる。なお、図示は省略するが、靴底３２´の厚みは、必要に応じて内側の方が厚くなるように形成してもよいし、前後方向に厚みの傾斜を設けるようにしてもよい。また、靴底３２´の全面でなく、一部に傾斜部分を形成するようにしてもよい。
(7)前記実施例では、本発明の履物として、スリッパを例に挙げて説明したが、これも一例であり、本発明は、トレーニングシューズなどの外履きや、ホームケア用のルームシューズなどのほか、公知の各種の履物に適用可能である。
【産業上の利用可能性】
【００２７】
本発明によれば、履物のアッパーの甲部に、装着者が視認可能となるように、歩行方向に一致させる目安として、Ｏ脚ないしＸ脚を矯正するための方向であり、履物を装着したときの足軸線に対して傾いている方向を示す方向指示手段を設け、該方向指示手段が示す方向が歩行方向と一致するように歩くことを促す。このようにすることで、Ｏ脚やＸ脚の矯正に効果的なローテーション運動をする方向への歩行をサポートするため、脚の歪みの矯正用の履物の用途に好適である。
【符号の説明】
【００２８】
１０，１０´：履物
１０Ａ，１０Ｂ：スリッパ
１１：アッパー
１２：甲部
１４：爪先部
１６〜１８：矢印線
２０：シール
３０Ａ，３０Ｂ：履物
３２，３２´：靴底
３３Ａ：インソール（中敷き）
３３Ｂ：アウトソール
３４：アッパー
３６Ａ，３６Ｂ：模様部
３８：切替部分
４０Ａ，４０Ｂ：素材
４２：切替部分
５０Ａ，５０Ｂ：イラスト
５２：円
５４：線
５６：黒丸
１００：装着者
１０２：右脚
１０４：左脚
１０２Ａ，１０４Ａ：くるぶし
１０２Ｂ，１０４Ｂ：膝
ＬＡ：履物の中心線
ＬＢ，ＬＣ，ＬＤ：矢印線の延長線
ＬＥ：線
【図１】
0006027713.tif 000002
【図２】
0006027713.tif 000003
【図３】
0006027713.tif 000004
【図４】
0006027713.tif 000005